(57)【特許請求の範囲】
【請求項１】
被検体にＸ線を照射するとともに当該被検体を透過したＸ線を検出し、検出したＸ線に基づいてＸ線透視画像を生成するＸ線撮影装置であって、
前記被検体の形態および当該被検体内における器官の配置を表す三次元モデルを生成する三次元モデル生成手段と、
前記三次元モデル生成手段によって生成された三次元モデルにおけるマーカーの位置を特定する位置特定手段と、
前記位置特定手段によって特定された前記マーカーの位置および前記三次元モデルにおける器官の配置に基づいて、前記マーカーと当該マーカーが置かれた第１の器官とは種類が異なる第２の器官とがＸ線の照射方向において重なっているか否かを判定する重なり判定手段と、
前記重なり判定手段によって前記マーカーと前記第２の器官とが重なっていると判定された場合に、前記三次元モデルにおけるマーカーの位置と前記第２の器官との位置関係に基づいて、前記マーカーと前記第２の器官との重なりが回避される他のＸ線の照射方向を示す方向情報を表示部に出力する方向情報出力手段と、
を備えたことを特徴とするＸ線撮影装置。
【請求項２】
前記三次元モデル生成手段は、前記被検体が載置される天板の移動距離を示す情報、前記Ｘ線透視画像における特徴的な部位を示す情報、前記被検体に照射されるＸ線に関するＸ線出力条件を示す情報、ならびに、標準的な被検体の形態および被検体内の器官の配置を表す標準形態情報に基づいて、前記三次元モデルを生成することを特徴とする請求項１に記載のＸ線撮影装置。
【請求項３】
他の画像診断装置によって得られた被検体に関する三次元画像データを記憶する三次元画像データ記憶部をさらに備え、
前記三次元モデル生成手段は、前記三次元画像データ記憶部によって記憶されている三次元画像データに基づいて、前記三次元モデルを生成することを特徴とする請求項１に記載のＸ線撮影装置。
【請求項４】
前記方向情報出力手段は、前記Ｘ線を照射するＸ線照射部および当該Ｘ線を検出するＸ線検出部を対向させて支持する支持部の操作方向を示す情報を前記方向情報として前記表示部に出力することを特徴とする請求項１、２または３に記載のＸ線撮影装置。
【請求項５】
前記方向情報出力手段は、被検体内における前記マーカーの位置および前記第２の器官の位置、ならびに、前記第２の器官を回避可能なＸ線の照射方向を示す情報を前記方向情報として前記表示部に出力することを特徴とする請求項１〜４のいずれか一つに記載のＸ線撮影装置。
【発明の詳細な説明】
【技術分野】
【０００１】
この発明は、被検体にＸ線を照射するとともに当該被検体を透過したＸ線を検出し、検出したＸ線に基づいて透視画像を生成するＸ線撮影装置に関し、特に、画質や被曝の観点で適切な観察方向を術者に提示するための技術に関する。
【背景技術】
【０００２】
従来、Ｘ線診断装置などのＸ線撮影装置を用いたＸ線血管造影検査では、Ｘ線透視下で血管、および、治療用デバイス（例えば、バルーンやステントなど）をさまざまな方向から観察して、検査および治療が行われる（例えば、特許文献１参照。）。かかるＸ線血管造影検査において、観察方向すなわちＸ線の照射方向によっては、観察対象の器官や治療用デバイスが、骨などの他の器官と重なって見づらくなる場合があった。
【０００３】
例えば、カテーテルを用いて心臓の血管を治療する場合について考える。図６は、従来のＸ線撮影装置における観察方向の変更を示す図であり、図７は、従来のＸ線撮影装置における画像の表示を示す図である。例えば、血管に挿入されたカテーテルのマーカーを観察しようとした場合に、図６（ａ）に示すように、マーカーと骨とが重なってしまうような方向に観察方向が設定されていた場合には、骨によってマーカーが見づらくなってしまう。
【０００４】
そのため、従来は、図６（ｂ）に示すように、マーカーと骨との重なりが回避される方向に観察方向を変えたうえで、検査および治療が行われていた。このように観察方向を変えることによって、図７（ａ）に示すように、見づらくなっていたマーカーが見やすくなる。しかし、近年では、さまざまな画像処理技術が発達したことによって、図７（ｂ）に示すように、わざわざ観察方向を変えなくとも容易に観察対象の物体（例えば、器官や治療用デバイスなど）を見ることができるようになっている。
【０００５】
【特許文献１】特開２００３−２８４７１６号公報
【発明の開示】
【発明が解決しようとする課題】
【０００６】
しかしながら、上述したように、画像処理技術が発達したことによって、観察対象の物体と当該物体を観察するうえで阻害となる器官とが重なった状態でも観察方向を変えずに検査および治療を行うことができるようになったため、本来であれば、観察方向を変えることによってより良い画質の画像が得られたり、あるいは、より低い被曝で済んだりするような場合でも、画質や被曝の観点で最適ではない観察方向のまま検査および治療が続けられてしまうことがある。
【０００７】
この発明は、上述した従来技術による課題を解決するためになされたものであり、画質や被曝の観点で適切な観察方向を術者に提示して画質向上および被爆低減を図ることが可能なＸ線撮影装置を提供することを目的とする。
【課題を解決するための手段】
【０００８】
上述した課題を解決し、目的を達成するため、本発明は、被検体にＸ線を照射するとともに当該被検体を透過したＸ線を検出し、検出したＸ線に基づいてＸ線透視画像を生成するＸ線撮影装置であって、前記被検体の形態および当該被検体内における器官の配置を表す三次元モデルを生成する三次元モデル生成手段と、前記三次元モデル生成手段によって生成された三次元モデルにおける観察対象の物体の位置を特定する物体位置特定手段と、前記物体位置特定手段によって特定された位置および前記三次元モデルに基づいて、前記観察対象の物体と当該物体を観察するうえで阻害となる器官とが観察方向において重なっているか否かを判定する重なり判定手段と、前記重なり判定手段によって前記観察対象の物体と前記阻害となる器官とが重なっていると判定された場合に、当該重なりが回避される他の観察方向を示す観察方向情報を出力する観察方向情報出力手段と、を備えたことを特徴とする。
【発明の効果】
【０００９】
本発明によれば、画質や被曝の観点で適切な観察方向を術者に提示して画質向上および被爆低減を図ることが可能になるという効果を奏する。
【発明を実施するための最良の形態】
【００１０】
以下に添付図面を参照して、この発明に係るＸ線撮影装置の好適な実施例を詳細に説明する。なお、以下に示す実施例では、Ｘ線診断装置に本発明を適用した場合について説明し、カテーテルを用いて心臓の血管を治療するカテーテル検査を例にあげて説明する。
【実施例】
【００１１】
まず、本実施例に係るＸ線診断装置の全体構成について説明する。図１は、本実施例に係るＸ線診断装置の全体構成を示す外観図である。同図に示すように、このＸ線診断装置は、被検体にＸ線を照射するＸ線照射部と被検体を透過したＸ線を検出するＸ線検出部とを対向させて支持するＣアームと、Ｃアームを支持する保持装置と、被検体が載置される天板を有する寝台装置と、Ｘ線検出部によって検出されたＸ線に基づいて生成されるＸ線透視画像などを表示する表示部とを有する。
【００１２】
かかるＸ線診断装置において、Ｘ線血管造影検査が行われる際には、寝台装置が有する天板の上に被検体が載置され、その被検体の体軸周りおよび体軸方向にＣアームを動作させることによって、さまざまな方向から血管、および、治療用デバイス（例えば、バルーンやステントなど）を観察しながら検査および治療が行われる。
【００１３】
そのため、観察する方向によっては、観察対象である血管や治療用デバイスなどが、それらを観察するうえで阻害となる器官（例えば、骨など）と重なってしまう場合がある。しかし、そのような場合であっても、Ｘ線透視画像に対して画像処理を施すことによって容易に観察対象の物体（例えば、血管や治療用デバイスなど）を観察することができてしまうため、その結果として、画像劣化や線量増加が生じることがあった。
【００１４】
そこで、本実施例に係るＸ線診断装置では、画質や被曝の観点で適切な観察方向を術者に提示して画質向上および被爆低減を図ることができるようにしている。以下、かかるＸ線診断装置が有する機能について具体的に説明してゆく。
【００１５】
図２は、本実施例に係るＸ線診断装置の機能構成を示すブロック図である。同図に示すように、このＸ線診断装置は、Ｘ線照射部１と、Ｘ線検出部２と、機構部３と、高電圧発生部４と、Ｃアーム５と、天板６と、表示部７と、操作部８と、画像処理部９と、システム制御部１０とを有する。
【００１６】
Ｘ線照射部１は、天板６の上に載置された検査対象（観察対象）の被検体ＰにＸ線を照射する装置であり、高電圧発生部４から供給される高電圧を用いてＸ線を発生するＸ線管、Ｘ線管が発生したＸ線の一部を遮蔽することによって照射野を制御するＸ線絞り器を有する。
【００１７】
Ｘ線検出部２は、被検体Ｐを透過したＸ線を検出してＸ線画像データを生成する装置であり、Ｘ線を検出する平面検出器、平面検出器から電荷を取り出すゲートドライバ、ゲートドライバにより取り出された電荷を電圧に変換する電荷・電圧変換器、電荷・電圧変換器により変換された電圧をデジタル値に変換するＡ／Ｄ変換器を有する。
【００１８】
機構部３は、Ｃアーム５および天板６を移動する装置であり、Ｃアーム５を回転したり移動したりするＣアーム回動・移動機構、天板６を移動する天板移動機構、システム制御部１０の指示に基づいてＣアーム回動・移動機構および天板移動機構を制御する機構制御部を有する。
【００１９】
なお、この機構部３は、Ｃアーム５の状態（天板６に対する位置や回動角度など）および天板６の位置など、Ｃアーム５および天板６の移動量を示す情報をポジショニング情報として記憶している。
【００２０】
高電圧発生部４は、Ｘ線照射部１がＸ線の発生に必要とする高電圧を供給する装置であり、システム制御部１０の指示に基づいて高電圧の発生を制御してＸ線の発生を制御するＸ線制御部、高電圧を発生する高電圧発生器を有する。Ｃアーム５は、Ｘ線照射部１やＸ線検出部２を保持するアームであり、天板６は、被検体Ｐを載せる板である。
【００２１】
表示部７は、画像処理部９によって生成されたＸ線透視画像などを表示する装置であり、画像を表示するモニタ、モニタへの表示を制御する表示制御部を有する。操作部８は、マウスやキーボード、ジョイスティックなどから構成され、術者による操作を受け付けるコンソールである。画像処理部９は、Ｘ線検出部２によって生成されたＸ線画像データに基づいて、Ｘ線透視画像を生成する処理部である。
【００２２】
システム制御部１０は、術者の操作に基づいてＸ線診断装置全体を制御する装置である。図３は、システム制御部１０の詳細な機能構成を示すブロック図である。同図に示すように、このシステム制御部１０は、本発明に特に関連する機能部として、記憶部１１と、三次元モデル生成部１２と、マーカー位置特定部１３と、重なり判定部１４と、観察方向情報出力部１５とを有する。
【００２３】
記憶部１１は、各種のデータやプログラムなどを記憶する記憶部であり、本発明に特に関連する情報として、Ｘ線出力条件１１ａと、標準形態情報１１ｂとを記憶する。ここで、Ｘ線出力条件１１ａは、検査中に被検体の体厚に応じて自動制御されたＸ線の強さ（Ｘ線の線量の大きさ）を示す情報であり、自動制御によってＸ線の強さが変えられるたびに、随時、最新の状態に更新される。
【００２４】
また、標準形態情報１１ｂは、標準的な被検体の形態および当該被検体内の器官の配置を表す情報である。この標準形態情報１１ｂは、例えば、標準的な人体における器官の配置や形状などを表す情報などである。なお、かかる標準形態情報１１ｂは、検査前にあらかじめ記憶部１１に記憶されていることとする。
【００２５】
三次元モデル生成部１２は、被検体Ｐの形態および被検体Ｐ内における器官の配置を表す三次元モデルを生成する処理部である。具体的には、この三次元モデル生成部１２は、被検体Ｐが載置される天板６の移動距離を示す情報、Ｘ線透視画像における特徴的な部位を示す情報、被検体Ｐに照射されるＸ線に関するＸ線出力条件を示す情報、ならびに、標準的な被検体の形態および被検体内の器官の配置を表す標準形態情報１１ｂに基づいて、三次元モデルを生成する。
【００２６】
ここで、三次元モデル生成部１２は、天板６の移動距離を示す情報については、機構部３のポジショニング情報から取得する。また、三次元モデル生成部１２は、Ｘ線透視画像における特徴的な部位を示す情報については、画像処理部９からＸ線透視画像を取得し、取得したＸ線透視画像から特徴的な部位を抽出することによって取得する。さらに、三次元モデル生成部１２は、Ｘ線出力条件１１ａおよび標準形態情報１１ｂについては、記憶部１１から取得する。そして、三次元モデル生成部１２は、取得した各情報に基づいて、被検体Ｐの形態および被検体Ｐ内における器官（例えば、心臓や背骨など）の配置を表す三次元モデルを生成する。
【００２７】
例えば、カテーテル検査では、被検体Ｐの血管からカテーテルを挿入し、Ｘ線透視画像を見ながらカテーテル先端を心臓まで進めて治療が行われる。このとき、術者は、表示部７に表示されるＸ線透視画像内にカテーテル先端が映るように、天板６を移動しながらカテーテルを進めてゆく。したがって、例えば、被検体Ｐにカテーテルが挿入されてからカテーテル先端が心臓に達するまでの間に天板６が移動した距離を計測することによって、カテーテルが挿入された箇所（例えば、腕や足の付け根など）から心臓までの距離を特定することができる。こうして特定された部分的な距離を、標準的な被検体の形態を表す標準形態情報に適用することによって、被検体Ｐの身長などを予測することができる。
【００２８】
また、カテーテル検査など、Ｘ線透視下で行われる検査では、被検体Ｐに照射されるＸ線の線量の強さは被検体の体厚に応じて決められる。検査において必要な画質レベルのＸ線透視画像を得るためには、体厚が厚い被検体については通常より強い線量のＸ線を照射する必要があり、体厚が薄い被検体については通常より弱い線量のＸ線でも必要な画質レベルのＸ線透視画像が得られるからである。したがって、例えば、検査中に被検体Ｐに対して照射されているＸ線の線量の強さを計測することによって、被検体Ｐの体厚を予測することができる。
【００２９】
三次元モデル生成部１２は、例えば、上記のように予測した被検体Ｐの身長や体厚などを記憶部１１から取得した標準形態情報１１ｂに適用することによって、被検体Ｐの形態および被検体Ｐ内における器官の配置を表す三次元モデルを生成する。
【００３０】
マーカー位置特定部１３は、三次元モデル生成部１２によって生成された三次元モデルにおける観察対象の物体の位置を特定する処理部である。例えば、カテーテル検査では、治療用のバルーンやステントなどの治療用デバイスを血管内に留置することによって血管の治療が行われるが、治療用デバイスを留置する際の目印として、ガイドワイヤーに取り付けられたマーカーが用いられる。このマーカーは、通常、Ｘ線透視画像上で目立つように小さな金属球などで形成されており、Ｘ線透視画像上で周辺の臓器と比較した場合にコントラストが高くなる。そこで、本実施例では、マーカー位置特定部１３は、かかるマーカーの位置を観察対象の物体の位置として特定する。
【００３１】
具体的には、マーカー位置特定部１３は、まず、マーカーが有する形状や大きさなどの特徴に基づいて、Ｘ線透視画像上でのマーカーの位置を特定する。続いて、マーカー位置特定部１３は、Ｘ線透視画像上で特定したマーカーの位置から、平面検出器上でのマーカーの位置を特定する。この一方で、マーカー位置特定部１３は、機構部３からポジショニング情報を取得し、取得したポジショニング情報に基づいて、Ｃアーム５の状態（天板６に対する位置や回動角度など）および天板６の位置を検出する。
【００３２】
その後、マーカー位置特定部１３は、平面検出器上で特定したマーカーの位置、検出した位置Ｃアーム５の状態および天板６の位置、ならびに、Ｘ線診断装置において固定的に決められている平面検出器とＸ線管との位置関係に基づいて、マーカーが存在しうる三次元空間上の直線を推定する。そして、マーカー位置特定部１３は、推定した直線と、三次元モデル生成部１２によって生成された三次元モデルにおける心臓の位置とから、三次元モデルにおけるマーカーの位置を特定する。
【００３３】
なお、治療用デバイスがステントである場合には、ステント両端部の位置を示す二個のマーカーが用いられる。そこで、マーカー位置特定部１３が、それら二つのマーカー間の距離を計測することによって、三次元モデルにおけるマーカーの位置を特定するようにしてもよい。または、検査開始時にマーカーの画像を撮影しておき、マーカー位置特定部１３が、その画像におけるマーカーの大きさと検査中に撮像されたＸ線透視画像におけるマーカーの大きさとを比較してマーカーの拡大率を算出し、算出した拡大率に基づいて、三次元モデルにおけるマーカーの位置を特定するようにしてもよい。
【００３４】
重なり判定部１４は、マーカー位置特定部１３によって特定された観察対象の物体の位置（ここでは、マーカーの位置）、および、三次元モデル生成部１２によって生成された三次元モデルに基づいて、観察対象の物体と当該物体を観察するうえで阻害となる器官とが観察方向において重なっているか否かを判定する処理部である。なお、ここでは、物体を観察するうえで阻害となる器官として、骨を例にあげて説明する。
【００３５】
具体的には、この重なり判定部１４は、マーカー位置特定部１３によって、三次元モデルにおけるマーカーの位置が特定されると、機構部３からポジショニング情報を取得し、取得したポジショニング情報に基づいて、Ｃアーム５の状態および天板６の位置を検出する。そして、重なり判定部１４は、三次元モデル生成部１２によって生成された三次元モデルにおける器官の配置、検出したＣアーム５の状態および天板６の位置、および、マーカー位置特定部１３によって特定されたマーカーの位置に基づいて、観察方向においてマーカーと骨とが重なっているか否かを判定する。
【００３６】
なお、Ｘ線透視下では、Ｘ線透視画像における画像の暗さのレベルや、検出されるＸ線の粒子の揺らぎ、量子ノイズのレベルなどの情報から、被検体Ｐ内でＸ線がどのような器官を透過してきたかを推測することができる。そこで、重なり判定部１４が、さらに、マーカー周辺と画像全体との画像レベル・量子ノイズのレベルの違いや、Ｘ線条件などから骨の影響があるか否かを判定するようにしてもよい。
【００３７】
観察方向情報出力部１５は、重なり判定部１４によって観察対象の物体と阻害となる器官とが重なっていると判定された場合に、その重なりが回避される他の観察方向を示す観察方向情報を出力する処理部である。
【００３８】
具体的には、この重なり判定部１４は、重なり判定部１４によって観察対象の物体と阻害となる器官とが重なっていると判定された場合に、重なり判定部１４によって用いられた情報（三次元モデル生成部１２によって生成された三次元モデルにおける器官の配置、検出したＣアーム５の状態および天板６の位置、および、マーカー位置特定部１３によって特定されたマーカーの位置）に基づいて、マーカーを観察するうえで阻害となる骨が回避される新たな観察方向を導出する。そして、重なり判定部１４は、導出した新たな観察方向を示す情報を、観察方向情報として表示部７に出力する。
【００３９】
図４は、観察方向情報出力部１５によって出力される観察方向情報の例を示す図である。例えば、観察方向情報出力部１５は、導出した新たな観察方向に沿ってＸ線が被検体Ｐに照射されるようにＣアーム５の位置および角度を算出し、算出した位置および角度にＣアームを移動するための操作方向を示す情報を、観察方向情報として出力する（同図（ａ）を参照）。
【００４０】
このように、観察方向情報出力部１５が、Ｃアーム５の操作方向を示す情報を出力することによって、術者に対して、より画質の高いＸ線透視画像を得るため、または、被曝を低減するために適したＣアーム５の操作方向を容易に認識させることができる。
【００４１】
または、観察方向情報出力部１５は、導出した新たな観察方向および三次元モデルに基づいて、被検体Ｐ内における観察対象の物体の位置（ここでは、マーカーの位置）および当該物体を観察するうえで阻害となる器官の位置（ここでは、骨の位置）、ならびに、導出した新たな観察方向となるＸ線の照射方向を示す情報を、観察方向情報として出力する（同図（ｂ）を参照）。
【００４２】
このように、観察方向情報出力部１５が、観察対象の物体の位置および当該物体を観察するうえで阻害となる器官の位置、ならびに、阻害となる器官を回避可能なＸ線の照射方向を示す情報を出力することによって、術者に対して、より画質の高いＸ線透視画像を得るため、または、被曝を低減するために適した観察方向を容易に認識させることができる。
【００４３】
さらに、観察方向情報出力部１５は、上述した観察方向情報に加えて、画像処理が施される前のＸ線透視画像を出力するようにしてもよい（同図（ｃ）を参照）。このように、画像処理が施される前のＸ線透視画像を出力することによって、術者に対して、現在の観察方向が適切ではないことを効果的に認識させることができる。
【００４４】
また、観察方向情報出力部１５が、重なり判定部１４によって観察対象の物体と阻害となる器官とが重なっていると判定された場合にのみ上述した観察方向を出力することによって、観察方向の提示が必要な場合のみ必要な情報が出力されるので、不必要な情報提供を抑制することができる。
【００４５】
次に、本実施例に係るＸ線診断装置による観察方向情報表示の処理手順について説明する。図５は、本実施例に係るＸ線診断装置による観察方向情報表示の処理手順を示すフローチャートである。なお、ここでは、カテーテルに取り付けられたマーカーの位置を観察対象の物体の位置とする場合について説明し、マーカーを観察するうえで阻害となる器官として骨を例にあげて説明する。
【００４６】
同図に示すように、本実施例に係るＸ線診断装置では、術者によって検査が開始されると（ステップＳ１０１，Ｙｅｓ）、三次元モデル生成部１２が、被検体Ｐの形態および被検体Ｐ内における器官の配置を表す三次元モデルを生成する（ステップＳ１０２）。
【００４７】
続いて、マーカー位置特定部１３が、三次元モデル生成部１２によって生成された三次元モデルにおけるマーカーの位置を特定し（ステップＳ１０３）、重なり判定部１４が、マーカー位置特定部１３によって特定されたマーカーの位置、および、三次元モデル生成部１２によって生成された三次元モデルに基づいて、マーカーと骨とが重なっているか否かを判定する（ステップＳ１０４）。
【００４８】
そして、マーカーと骨とが重なっていた場合には（ステップＳ１０５，Ｙｅｓ）、観察方向情報出力部１５が、その重なりが回避される他の観察方向を示す観察方向情報を表示部７に出力する（ステップＳ１０６）。
【００４９】
上述してきたように、本実施例では、まず、三次元モデル生成部１２が、被検体の形態および当該被検体内における器官の配置を表す三次元モデルを生成する。その後、マーカー位置特定部１３が、三次元モデル生成部１２によって生成された三次元モデルにおけるマーカーの位置を観察対象の物体の位置として特定し、重なり判定部１４が、マーカー位置特定部１３によって特定されたマーカーの位置、および、三次元モデル生成部１２によって生成された三次元モデルに基づいて、マーカーと当該マーカーを観察するうえで阻害となる器官とが観察方向において重なっているか否かを判定する。そして、観察方向情報出力部１５が、重なり判定部１４によって、マーカーと、阻害となる器官とが重なっていると判定された場合に、その重なりが回避される他の観察方向を示す観察方向情報を出力する。
【００５０】
したがって、本実施例では、観察対象の物体と当該物体を観察するうえで阻害となる器官とが重なっている場合に、その重なりを回避することができる観察方向が自動的に提示されるので、術者に対して、より画質を向上することができる方向、および、より被曝を低減することができる方向に観察方向を変更するよう促すことができる。すなわち、本実施例では、画質や被曝の観点で適切な観察方向を術者に提示して画質向上および被爆低減を図ることが可能になる。
【００５１】
また、本実施例では、三次元モデル生成部１２が、被検体Ｐが載置される天板の移動距離、Ｘ線透視画像における特徴的な部位、被検体に照射されるＸ線に関するＸ線出力条件、ならびに、標準的な被検体の形態および被検体内の器官の配置を表す標準形態情報に基づいて、三次元モデルを生成するので、検査対象となっている被検体の体型に応じて自動的に三次元モデルを生成することができる。
【００５２】
また、本実施例では、観察方向情報出力部１５が、Ｘ線を照射するＸ線照射部１および当該Ｘ線を検出するＸ線検出部２を対向させて支持するＣアーム５の操作方向を示す情報を観察方向情報として出力するので、術者に対して、より画質の高いＸ線透視画像を得るため、または、被曝を低減するために適したＣアーム５の操作方向を容易に認識させることができる。
【００５３】
また、本実施例では、観察方向情報出力部１５は、被検体Ｐ内における観察対象の物体の位置および当該物体を観察するうえで阻害となる器官の位置、ならびに、阻害となる器官を回避可能なＸ線の照射方向を示す情報を観察方向情報として出力するので、術者に対して、より画質の高いＸ線透視画像を得るため、または、被曝を低減するために適した観察方向を容易に認識させることができる。
【００５４】
なお、本実施例では、三次元モデル生成部１２が、被検体Ｐが載置される天板の移動距離、Ｘ線透視画像における特徴的な部位、被検体に照射されるＸ線に関するＸ線出力条件、ならびに、標準的な被検体の形態および被検体内の器官の配置を表す標準形態情報に基づいて、三次元モデルを生成するよう構成した。
【００５５】
しかしながら、三次元モデルの生成方法はこれに限られるわけではない。例えば、Ｘ線ＣＴ（Computed Tomography）装置などの他の画像診断装置によって得られた被検体Ｐに関する三次元画像データを記憶部１１にさらに記憶させておき、そのうえで、三次元モデル生成手段が、記憶部１１によって記憶されている三次元画像データに基づいて、三次元モデルを生成するようにしてもよい。これにより、より正確に被検体Ｐの形態および被検体Ｐ内における器官の配置を表す三次元モデルを生成することができるようになり、より正確な観察方向を術者に対して提示することが可能になる。
【００５６】
なお、本実施例において図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【産業上の利用可能性】
【００５７】
以上のように、本発明に係るＸ線撮影装置は、Ｘ線透視下で血管および治療用デバイスをさまざまな方向から観察しながら行われるＸ線血管造影検査において有用であり、特に、Ｘ線透視画像の画質向上や被曝低減が要求される場合に適している。
【図面の簡単な説明】
【００５８】
【図１】本実施例に係るＸ線診断装置の全体構成を示す外観図である。
【図２】本実施例に係るＸ線診断装置の機能構成を示すブロック図である。
【図３】システム制御部の詳細な機能構成を示すブロック図である。
【図４】観察方向情報出力部によって出力される観察方向情報の例を示す図である。
【図５】本実施例に係るＸ線診断装置による観察方向情報表示の処理手順を示すフローチャートである。
【図６】従来のＸ線撮影装置における観察方向の変更を示す図である。
【図７】従来のＸ線撮影装置における画像の表示を示す図である。
【符号の説明】
【００５９】
１    Ｘ線照射部
２    Ｘ線検出部
３    機構部
４    高電圧発生部
５    Ｃアーム
６    天板
７    表示部
８    操作部
９    画像処理部
１０    システム制御部
１１    記憶部
１１ａ    Ｘ線出力条件
１１ｂ    標準形態情報
１２    三次元モデル生成部
１３    マーカー位置特定部
１４    重なり判定部
１５    観察方向情報出力部
【図１】
0005203757.tif 000002
【図２】
0005203757.tif 000003
【図３】
0005203757.tif 000004
【図５】
0005203757.tif 000005
【図６】
0005203757.tif 000006
【図４】
0005203757.tif 000007
【図７】
0005203757.tif 000008